(57)【要約】【課題】測定方式を容易に切替え可能であって、吸光光度法による測定を精度良く行なうことができる土壌分析計を提供する。【解決手段】土壌分析計１０１は、試料をバーナ５から発する炎で加熱する原子化部２０と、光源２と、光源２から発せられた光４０を第１光束４１と第２光束４２とに分岐させる分岐部３と、分光器７と、検出器８と、吸光光度法で測定すべき試料を内部に流すためのフローセル６と、第１光束４１を、前記炎を通過させ、その後に分光器７に導く第１光学系５１と、第２光束４２を、前記炎を通過させずにフローセル６を通過させた後に分光器７に導く第２光学系５２と、光源２、分岐部３、分光器７、検出器８およびフローセル６を、外光１０が入らない状態で内部に収容する筐体１とを備え、原子化部２０は、前記炎が筐体１の外側に位置するように配置されている。【選択図】図１
2020173110.tif 000002
【特許請求の範囲】
【請求項１】
バーナを含み、原子吸光法で測定すべき試料を前記バーナから発する炎で加熱して原子化する原子化部と、
光源と、
前記光源から発せられた光を第１光束と第２光束とに分岐させる分岐部と、
分光器と、
前記分光器から出射した光を受ける検出器と、
吸光光度法で測定すべき試料を内部に流すためのフローセルと、
前記第１光束を、前記炎を通過させ、その後に前記分光器に導く第１光学系と、
前記第２光束を、前記炎を通過させずに前記フローセルを通過させた後に前記分光器に導く第２光学系と、
前記光源、前記分岐部、前記分光器、前記検出器および前記フローセルを、外光が入らない状態で内部に収容する筐体とを備え、
前記原子化部は、前記炎が前記筐体の外側に位置するように配置された、土壌分析計。
【請求項２】
原子吸光法で測定を行なう際に前記フローセルの内部を蒸留水で満たすための蒸留水供給部を備える、請求項１に記載の土壌分析計。
【請求項３】
前記フローセルは、前記第２光学系の光路上に位置する第１モードと、前記第２光学系の光路から外れて位置する第２モードとをとりえ、前記第１モードと前記第２モードとは可逆的に切替え可能である、請求項１または２に記載の土壌分析計。
【発明の詳細な説明】
【技術分野】
【０００１】
本発明は、土壌分析計に関するものである。
【背景技術】
【０００２】
フレーム原子吸光光度計の一例が、特開２０１０−７８５７７号公報（特許文献１）に記載されている。フレーム原子吸光光度計では、燃焼ガスおよび助燃ガスを用いて、試料をバーナで燃焼する。試料は、フレーム中で高温に加熱され原子化する。原子化された試料成分を含んだフレーム中に、光源から発する測定光を通過させることで、試料原子による吸光度を測定する。
【先行技術文献】
【特許文献】
【０００３】
【特許文献１】特開２０１０−７８５７７号公報
【発明の概要】
【発明が解決しようとする課題】
【０００４】
原子吸光法と吸光光度法との２種類の測定方式の間で測定方式を容易に切り替え可能であって、吸光光度法による測定を精度良く行なうことができる土壌分析計を提供することを目的とする。ここでいう土壌分析計は、吸光光度法による測定を行なう際には、フレーム原子吸光光度計のフレームを点火せずに光束中にフローセルを挿入した状態にして、分光光度計として使用される。
【課題を解決するための手段】
【０００５】
上記目的を達成するため、本発明に基づく土壌分析計は、バーナを含み、原子吸光法で測定すべき試料を上記バーナから発する炎で加熱して原子化する原子化部と、光源と、上記光源から発せられた光を第１光束と第２光束とに分岐させる分岐部と、分光器と、上記分光器から出射した光を受ける検出器と、吸光光度法で測定すべき試料を内部に流すためのフローセルと、上記第１光束を、上記炎を通過させ、その後に上記分光器に導く第１光学系と、上記第２光束を、上記炎を通過させずに上記フローセルを通過させた後に上記分光器に導く第２光学系と、上記光源、上記分岐部、上記分光器、上記検出器および上記フローセルを、外光が入らない状態で内部に収容する筐体とを備える。上記原子化部は、上記炎が上記筐体の外側に位置するように配置されている。
【発明の効果】
【０００６】
液体フローセルをリファレンス側に設置可能に構成することで、吸光光度法による測定が容易に可能となる。すなわち、原子吸光法による測定と吸光光度法による測定との両方を、液体フローセルをサンプル側に出し入れすることなく切り替えて行なうことができる。液体フローセルは、原子吸光法で測定する光束から離れて配置されているので、測定方式切替え時にフローセルを手動で移動させる必要がない。さらに、リファレンス側は装置筐体内に収まっているので、外光の影響を受けずに吸光光度法による測定を行なうことができる。
【図面の簡単な説明】
【０００７】
【図１】本発明に基づく実施の形態１における土壌分析計の概念図である。
【図２】本発明に基づく実施の形態１における土壌分析計の原子化部の斜視図である。
【図３】本発明に基づく実施の形態１における土壌分析計に備わるフローセルの説明図である。
【図４】本発明に基づく実施の形態１における土壌分析計の変形例の概念図である。
【発明を実施するための形態】
【０００８】
（実施の形態１）
（構成）
図１〜図３を参照して、本発明に基づく実施の形態１における土壌分析計について説明する。本実施の形態における土壌分析計１０１を図１に示す。図１は模式的な平面図である。土壌分析計１０１は、たとえば、原子吸光法、炎光法、吸光光度法という３通りの測定を１台で行なえる装置であってよい。
【０００９】
土壌分析計１０１は、原子化部２０を備える。原子化部２０を取り出したところを図２に示す。原子化部２０は、バーナ５を含む。原子化部２０は、原子吸光法で測定すべき試料をバーナ５から発する炎１５で加熱して原子化するためのものである。バーナ５には、図示しない配管から燃料ガスおよび助燃ガスが供給される。原子吸光法で測定を行なう際には、試料としての液体が矢印９３に示すようにバーナ５に送り込まれ、霧状となって炎１５の中に導入される。霧状となった試料は炎１５の中で分解されて原子化される。
【００１０】
土壌分析計１０１は、光源２を備える。土壌分析計１０１は、光源２から発せられた光４０を第１光束４１と第２光束４２とに分岐させる分岐部３を備える。土壌分析計１０１は、さらに、分光器７と、分光器７から出射した光を受ける検出器８と、吸光光度法で測定すべき試料を内部に流すためのフローセル６と、第１光学系５１と、第２光学系５２とを備える。第１光学系５１は、第１光束４１を、炎１５を通過させ、その後に分光器７に導く。第２光学系５２は、第２光束４２を、炎１５を通過させずにフローセル６を通過させた後に分光器７に導く。土壌分析計１０１は、光源２、分岐部３、分光器７、検出器８およびフローセル６を、外光１０が入らない状態で内部に収容する筐体１を備える。原子化部２０は、炎１５が筐体１の外側に位置するように配置されている。筐体１は凹部１ａを有する。原子化部２０は、凹部１ａの内部に配置されている。バーナ５は外光１０が当たりうる場所に配置されている。
【００１１】
フローセル６の詳細を図３に示す。フローセルは、透光性材料によって形成された筒状部６１と、その外周を取り囲むように遮光性材料によって形成された遮光部６２とを含む。遮光部６２は、第２光束４２の入口と出口に相当する２つの開口部６３を有する。
【００１２】
フローセル６には試料供給部１２が接続されている。吸光光度法での測定を行なう際には、筒状部６１の内部には、試料としての液体が試料供給部１２から矢印９１に示すように供給され、矢印９２に示すように排出されていく。第２光束４２は、一方の開口部６３を通って筒状部６１を透過し、試料としての液体を透過し、再び筒状部６１を透過し、他方の開口部６３を通って出て行く。フローセル６には、試料供給部１２の他に蒸留水供給部１３も接続されている。
【００１３】
土壌分析計１０１は、筐体１の外に制御部９を備えていてよい。制御部９は、入力部と、表示部とを備えるものであってよい。入力部はたとえばキーボード、マウス、タッチパネルのいずれかを含んでよい。表示部はたとえば液晶表示装置を含んでよい。制御部９は、パーソナル・コンピュータを利用したものであってよい。
【００１４】
（作用・効果）
本実施の形態では、原子化部２０の炎１５は筐体１の外側に位置する状態を実現しつつ、フローセル６、分光器７などは筐体１の内部に収容されているので、フローセル６に外光１０が差し込むことは避けることができる。したがって、本実施の形態における土壌分析計１０１では、外光の影響を受けずに吸光光度法による測定を行なうことができる。また、フローセル６はバーナ５の近くではなく筐体１の内部に収容されているので、測定方式切替え時にフローセルを手動で移動させる必要がない。
【００１５】
本実施の形態で示したように、土壌分析計１０１は、原子吸光法で測定を行なう際にフローセル６の内部を蒸留水で満たすための蒸留水供給部１３を備えることが好ましい。蒸留水供給部１３から供給された蒸留水は、この構成を採用することにより、原子吸光法で測定を行なう際には、フローセル６の内部を蒸留水で満たした状態とすることができる。第１光学系は原子化部２０の炎を通過することとし、第２光学系はリファレンスとして利用することができる。
【００１６】
フローセル６の内部に試料としての液体を通すか比較のための蒸留水を通すかは、ユーザがコマンドによって選択できるようにしてよい。コマンドは、たとえば制御部９を通じて入力される。制御部９を通じて切替えが行なえるようになっていれば、ユーザは、手動で配管を切り替える作業を行なわなくてもよい。
【００１７】
（変形例）
図４に示す土壌分析計１０２のようなものであってもよい。土壌分析計１０２は、基本的な構成としては、本実施の形態で説明した土壌分析計１０１と同様であるが、土壌分析計１０１に比べて以下の点で異なる。
【００１８】
土壌分析計１０２においては、フローセル６は、第２光学系５２の光路上に位置する第１モードと、第２光学系５２の光路から外れて位置する第２モードとをとりうる。前記第１モードと前記第２モードとは可逆的に切替え可能である。図４では、フローセル６が第２モードにある状態が示されている。第１モードにあるときのフローセル６は破線で表示されている。このようにフローセル６の位置を切り替えることが可能な構成であれば、フローセル６の中身を蒸留水に置き換えなくても、フローセル６を第２光学系５２の光路から外しておくことが可能であるので、容易に、第２光学系５２をリファレンスとして利用することができる。第１モードと第２モードとの切替えは、たとえば制御部９を通じて入力されるコマンドで行なうこととしてもよい。
【００１９】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００２０】
１  筐体、１ａ  凹部、２  光源、３  分岐部、５  バーナ、６  フローセル、７  分光器、８  検出器、９  制御部、１０  外光、１２  試料供給部、１３  蒸留水供給部、１５  炎、２０  原子化部、４０  光、４１  第１光束、４２  第２光束、４８  外光、５１  第１光学系、５２  第２光学系、６１  筒状部、６２  遮光部、６３  開口部、９１，９２，９３  矢印、１０１，１０２  土壌分析計。
【図１】
2020173110.tif 000003
【図２】
2020173110.tif 000004
【図３】
2020173110.tif 000005
【図４】
2020173110.tif 000006